(57)【要約】【課題】水陸両用ゴーグルを提供する。【解決手段】レンズ部３１、フレーム部３２、フェイスパッド３３及びテンプル部３４を具備し、レンズ部３１は少なくとも１個のレンズを具備し、フレーム部３２には少なくとも１個のフレーム３２１が形成され、レンズを充分にフレーム３２１の中に嵌入させる。フェイスパッド３３はフレーム部３２の側縁に着脱可能に取り付けられるとともに、側縁から外へ向かって延び、使用者の眼部周囲に充分に密着する。テンプル部３４は水陸両用ゴーグル３を使用者の顔に固定させることができる。【選択図】図３Ｂ
0003143111.tif 000002
【実用新案登録請求の範囲】
【請求項１】
少なくとも１個のレンズを備えたレンズ部と、
本体部分を有し、該本体には少なくとも１個のフレームが形成され、前記少なくとも１個のレンズは前記少なくとも１個のフレームの中に嵌入されるフレーム部と、
前記フレーム部の側縁に取り付けられるとともに、該側縁から外側へ延びており、使用者の眼部周囲に密着するフェイスパッドと、
２個のテンプル及び２個の固定具を有し、各々のテンプルの第１端部は前記フレーム部の両端にそれぞれ取り付けられるとともに、各々の固定具は前記テンプルの前記第１端部に相対する第２端部にゴーグルを使用者の顔に固定させるようそれぞれ取り付けられるテンプル部とからなることを特徴とする水陸両用ゴーグル。
【請求項２】
前記固定具はかぎ状体を具備し、前記使用者の耳に掛着することを特徴とする請求項１に記載の水陸両用ゴーグル。
【請求項３】
前記固定具はさらに接合体を具備し、該接合体は前記各々のテンプルの前記第２端部に着脱可能に取り付けることを特徴とする請求項２に記載の水陸両用ゴーグル。
【請求項４】
前記接合体は被覆管であり、前記テンプルの前記第２端部に着脱可能に装着することを特徴とする請求項３に記載の水陸両用ゴーグル。
【請求項５】
前記被覆管は弾性体であり、該被覆管を前記テンプルの前記第２端部で滑らせて移動させ、前記使用者が前記固定具と前記フレーム部間の距離を調整できることを特徴とする請求項４に記載の水陸両用ゴーグル。
【請求項６】
前記固定具はさらに接合体を具備し、該接合体は螺旋状突起であり、且つ前記各々のテンプルはさらにねじ孔を具備し、前記螺旋状突起は該ねじ孔に螺入することを特徴とする請求項２に記載の水陸両用ゴーグル。
【請求項７】
前記接合体はフックであり、前記テンプルの前記第２端部に着脱可能に掛着し、使用者が前記固定具と前記フレーム部間の距離を調整できることを特徴とする請求項３に記載の水陸両用ゴーグル。
【請求項８】
前記固定具はさらに接合体を具備し、該接合体は前記各々のテンプルの前記第２端部に粘着することを特徴とする請求項２に記載の水陸両用ゴーグル。
【請求項９】
前記固定具は環状体を具備し、使用者の耳に取り巻くように装着することを特徴とする請求項１に記載の水陸両用ゴーグル。
【請求項１０】
前記固定具は環状バンドを具備し、使用者の頭部を取り巻くように装着することを特徴とする請求項１に記載の水陸両用ゴーグル。
【請求項１１】
前記環状バンドはさらに調節具を具備し、使用者が該環状バンドと前記水陸両用ゴーグル間の緩み具合を調整することができることを特徴とする請求項１０に記載の水陸両用ゴーグル。
【請求項１２】
前記テンプルの第１端部が前記フレーム部の両端部にそれぞれ枢設されることを特徴とする請求項１に記載の水陸両用ゴーグル。
【請求項１３】
前記フェイスパッドは変形可能な軟性部分を具備することを特徴とする請求項１に記載の水陸両用ゴーグル。
【請求項１４】
前記軟性部分は熱可塑性ゴム、熱可塑性ポリウレタン、熱可塑性エラストマー、ポリウレタン、ポリ塩化ビニル、シリコン及びそれらの組み合わせの中から選ばれたものであることを特徴とする請求項１３に記載の水陸両用ゴーグル。
【請求項１５】
眼鏡に用いるテンプル部であって、前記眼鏡は本体を具備し、前記テンプル部は前記本体の相対する両端部に連接し、２個のテンプル、２個の固定具を具備し、
前記２個のテンプルは各々第１端部と第２端部を具備し、該２ヶ所の第１端部はフレーム部の本体部分の２カ所の相対する端部にそれぞれ設けられ、
前記２個の固定具は前記２個のテンプルの第２端部にそれぞれ設けられ、前記眼鏡を使用者の顔に固定できるよう補助することを特徴とするテンプル部。
【請求項１６】
前記固定具はかぎ状体を具備し、前記使用者の耳に掛着することを特徴とする請求項１５に記載のテンプル部。
【請求項１７】
前記固定具はさらに接合体を具備し、該接合体は前記テンプルの前記第２端部に着脱可能に取り付けることを特徴とする請求項１６に記載のテンプル部。
【請求項１８】
前記接合体は被覆管であり、前記テンプルの前記第２端部に着脱可能に装着することを特徴とする請求項１７に記載のテンプル部。
【請求項１９】
前記被覆管は弾性体であり、該被覆管を前記テンプルの前記第２端部で滑らせて移動させ、前記使用者が前記固定具と前記フレーム部間の距離を調整できることを特徴とする請求項１８に記載のテンプル部。
【請求項２０】
前記固定具はさらに接合体を具備し、該接合体は螺旋状突起であるとともに前記各々のテンプルはさらにねじ孔を具備し、該螺旋状突起は該ねじ孔に螺入することを特徴とする請求項１６に記載のテンプル部。
【請求項２１】
前記接合体はフックであり、前記テンプルの前記第２端部に取り外し可能に掛着し、使用者が前記固定具と前記フレーム部間の距離を調整できることを特徴とする請求項１７に記載のテンプル部。
【請求項２２】
前記固定具は、前記テンプルの前記第２端部に粘着することを特徴とする請求項１６に記載のテンプル部。
【請求項２３】
前記固定具は環状体を具備し、使用者の耳に取り巻くように装着することを特徴とする請求項１５に記載のテンプル部。
【請求項２４】
前記テンプルの前記第１端部が前記本体の両端部にそれぞれ枢設されることを特徴とする請求項１５に記載のテンプル部。
【請求項２５】
前記固定具は環状バンドを具備し、使用者の頭部を取り巻くように装着することを特徴とする請求項１５に記載のテンプル部。
【請求項２６】
前記環状バンドはさらに調節具を具備し、使用者が該環状バンドと前記水陸両用ゴーグル間の緩み具合を調整できることを特徴とする請求項２５に記載のテンプル部。
【考案の詳細な説明】
【技術分野】
【０００１】
本考案は水陸両用ゴーグルに関するもの、詳しくは、特殊なテンプル設計を有する水陸両用ゴーグルに関するものである。
【背景技術】
【０００２】
現在一般民衆の日常生活において、通常異なる場面で異なる機能を持つ眼鏡をかける。およそ視力矯正のためにかける眼鏡、強すぎる太陽の光を遮るためのサングラスなど種類は非常に多い。同時に各レジャースポーツの普及に伴い、サーフィン、ダイビング、水泳などの水上スポーツ、又は球技やレーシングなどの陸上スポーツに関わらず、異なるニーズ、機能、デザインに対する各種眼鏡もまた日々多様化している。
【０００３】
水上活動に従事する際のスイミングゴーグルを例に挙げると、その機能は各種水上活動を行う際に、眼と水が直接接触するのを防止することができ、眼の保護、伝染病の防止、眼の怪我の防止といった機能を達するものである。その外形はおおよそ図１が示す伝統的なスイミングゴーグルの立体図の如くである。伝統的なスイミングゴーグルは、フレーム１１、レンズ１２、フェイスパッド１３、調整用バックル１４、ヘッドバンド１５等のパーツを組み合わせて構成される。次に、一方で図２を参照すると、これは伝統的な眼鏡２の立体図を示している。この眼鏡２は陸上活動に用いられ、それはフレーム２１、レンズ２２、テンプル２３などのパーツを組み合わせて構成される。
【特許文献１】特開２００２−０４５４３９号公報
【特許文献２】特開２００７−１７８６１３号公報
【考案の開示】
【考案が解決しようとする課題】
【０００４】
現在、一般人の使用状況から言うと、水上活動と陸上活動に同時に従事したい場合、通常前述の水中用のスイミングゴーグル１、陸上で用いる眼鏡２を同時に準備するとともに適宜取り替える必要がある。また、そのうちの一方を使用するとき、もう一方は適切に保管するとともに随時もう一方のサブ眼鏡を携帯する必要がある。このように、２個の眼鏡の保管と取り替えは不便であるだけでなく、適切な保管もまた容易ではない。
【０００５】
上述した従来の技術のスイミングゴーグル及び陸上で用いる眼鏡について、２種類の機能を結合した水陸両用ゴーグルの研究開発が、この技術分野で早急に解決を要する目標となっている。
【課題を解決するための手段】
【０００６】
本考案の目的は、従来の技術の欠点に対し、取り外し組み立てが容易な水陸両用ゴーグルを提供することである。使用者が水中で着用するとき、この水陸両用ゴーグルは使用者の眼部周囲に密着し眼部に水が浸入することを避けることができ、使用者が水中で自由に活動しやすくなる。一方で、使用者が陸上で着用するとき、この水陸両用ゴーグルは一般の眼鏡と同じく防風、雨よけ及び眼の保護といった効果を達することができる。
【０００７】
本考案の提供する水陸両用ゴーグルは、レンズ部、フレーム部、フェイスパッド及びテンプル部を具備する。前記レンズ部は少なくとも１個のレンズを具備し、前記フレーム部には少なくとも１個のフレームが形成され、該少なくとも１個のレンズは該少なくとも１個のフレームに充分に嵌入される。前記フェイスパッドは前記フレーム部の側縁に着脱可能に取り付けられるとともに側縁から外側へ延びており、使用者の眼部周囲に充分に密着する。前記テンプル部は、２個のテンプル及び２個の固定具を具備し、各々のテンプルの第１端部は前記フレーム部の両端にそれぞれ取り付けられ、且つ各々の固定具は各々のテンプルの第１端部に相対する第２端部にそれぞれ取り付けられ、水陸両用ゴーグルを使用者の顔に固定させることができる。
【０００８】
このほか、本考案の提供する眼鏡に用いられるテンプル部は、その眼鏡は本体を具備しており、テンプル部は該本体の相対する両端部に連接する。前記テンプル部は２個のテンプル及び２個の固定具を具備する。各々のテンプルは第１端部と第２端部を具備し、２ヶ所の第１端部はフレーム部の本体部分の２カ所の相対する端部にそれぞれ設けられる。前記２個の固定具は前記２個のテンプルの第２端部にそれぞれ設けられ、眼鏡を使用者の顔に固定できるよう補助する。
【０００９】
該技術領域の通常知識を持つ者が本考案の目的を理解できるよう、本考案の技術手段及び実施態様を図の参照及び実施例の記述により説明する。
【考案を実施するための最良の形態】
【００１０】
本考案の一実施例は、水陸両用ゴーグル３であり、水陸両用ゴーグルの構造図及び分解図は、図３Ａと図３Ｂの如くである。水陸両用ゴーグルはレンズ部３１、フレーム部３２、フェイスパッド３３及びテンプル部３４を具備する。そのうち、レンズ部３１は少なくとも１個のレンズを具備し、本実施例においてレンズ部３１は２個のレンズを具備するが、これに限るものではない。一方、フレーム部３２は本体部分を具備し、この本体部分は使用者の鼻筋を跨いで装着できるとともに、実際のレンズ部が具備するレンズの数だけ少なくとも１個のフレーム３２１が形成される。レンズ部３１のレンズはフレーム３２１の中に充分にぴったりと嵌入させられ、次に、フェイスパッド３３は着脱可能にフレーム部３２の側縁に取り付けられるとともに、側縁から外へ向かって延びており、使用者（未表示）の眼部周囲に充分に密着する。テンプル部３４は、水陸両用ゴーグル３全体を使用者の顔に固定できるよう補助する。
【００１１】
図３Ａと図３Ｂを合わせて参照すると、本考案の一実施例における水陸両用ゴーグル３のフェイスパッド３３を組成する材料について、本考案の特徴の一つはフェイスパッド３３が具備する変形可能な軟質部である。より好ましい実施態様において、前述の軟質部は 熱可塑性ゴム（Thermoplastic Rubber，TPR）、熱可塑性ポリウレタン（Thermoplastic Polyurethane，TPU）、熱可塑性エラストマー（Thermoplastic Elastomer，TPE）、ポリウレタン（Polyurethane，PU）、ポリ塩化ビニル（Polyvinylchloride，PVC）、シリコン（Silicone）、及びそれらの組み合わせの中から選ばれたものである。この軟質部からなるフェイスパッド３３は、使用者が水中活動時に使用者の顔に密着できるよう補助することができるだけでなく、使用者が陸上活動時にも防風及び眼を保護する機能を発揮するよう補助することができる。
【００１２】
特に説明すると、前述のテンプル部３４は２個のテンプル３５及び２個の固定具３６を具備し、そのうち各々のテンプル３５は第１端部３７と第２端部３８を具備し、２個のテンプル３５の第１端部３７はフレーム部３２の本体部分の２カ所の相対する端部にそれぞれ設けられる。この実施例において、第１端部３７は、フレーム部３２に枢設されるが、この限りではない。一方、２個の固定具３６は、２個のテンプル３５の第２端部３８にそれぞれ設けられ、２個のテンプル３５が水陸両用ゴーグル３を使用者の顔の鼻筋部分に固定できるよう補助する。
【００１３】
更に明確に言うと、本考案の水陸両用ゴーグル３の使用中における固定性を強化するため、テンプル部３４の各固定具３６はかぎ状体３９及び接合体４０を具備し、このかぎ状体３９は使用者の耳に充分に掛着し、テンプル３５が水陸両用ゴーグル３を使用者の両耳の間に固定するよう補助する。説明しておくが、このかぎ状体３９はほんの一例示であって、図４Ａの如く、その他の実施例において、かぎ状体３９もまた環状体４１に取り替えることが可能であり、この環状体４１は充分に使用者の耳に取り巻くように装着し、固定する補助として用いられる。
【００１４】
本考案の固定具３６とテンプル３５間には様々な接合方法があり、以下数個の実施例をもってそれぞれ具体的に接合体４０の可能態様について説明する。第一の種類は着脱可能な接合体４０で、この接合体４０は固定具３６を各々のテンプル３５の第２端部３８に着脱可能に取り付けることができ、この種類の接合体４０の実施例は多種の実施方法を有する。具体的に言うと、図４Ｂの如く、接合体４０の一実施例は被覆管４２であり、各々のテンプル３５の第２端部３８に充分に着脱可能に装着する。詳しく言うと、被覆管４２は弾性体であり、例えばゴム等の弾性材料より製造でき、被覆管４２をテンプル３５の第２端部３８で滑らせて移動しその位置を変更させることに利し、利用者が個人のニーズに基づいて固定具３６とフレーム部３２間の距離を調整することに利し、これにより固定具３６の固定機能の補助を強化する。
【００１５】
図４Ｃの如く、この実施例において、接合体４０は螺旋状突起４３であり、且つ各々のテンプル３５の第２端部３８の相対する箇所にはねじ孔４４を具備し、螺旋状突起４３はねじ孔４４に充分に螺入し、固定具３６はテンプル３５に固定される。
【００１６】
図４Ｄの如く、この実施例において、接合体４０はフック４５であり、例えばプラスチック等の硬質材料より製造でき、フックをテンプル３５の第２端部３８に充分に着脱可能に掛着するとともに、テンプル３５上でその位置を変更することができ、使用者に滑らせて移動させ固定具３６とフレーム部３２間の距離を調整させる。
【００１７】
続いて図４Ｅの如く、この実施例において、該固定具は環状バンド４６を具備し、それは各々のテンプルの第２端部３８に取り付けられ、充分に使用者の頭部を取り巻くように装着する。その中の環状バンド４６は調整具４７を具備し、使用者が環状バンド４６と水陸両用ゴーグル３の間の伸縮度を調整できるようにする。説明しておくが、図４Ｅの示す調整具４７はほんの一例であって、実際にはいかなる調整装置も本考案の応用とすることができる。
【００１８】
その次に、別の種類の固定具の接合方法は取り外し不可であり、例を挙げて言うと、固定具３６は粘着する方法でかぎ状体３９を各々のテンプル３５の第２端部３８に粘着するが、この粘着方法は固定具のテンプル上の位置を変更することはできない。
【００１９】
上述のように、本考案の水陸両用ゴーグル３は固定強化されたテンプル部３４を具備し、個人のニーズに合わせてその伸縮度の固定方法を調整することができ、同時に水上活動と陸上活動の使用ニーズに共に答える。使用者が陸上活動に従事するとき、水陸両用ゴーグル３はサングラスとすることができるだけでなく防風、遮光、雨よけの機能も達し、またフェイスパッド３３の眼の保護という機能により、危険な工事現場での工業用保護眼鏡とすることもできる。また一方、使用者が水上活動に従事するとき、水陸両用ゴーグル３は水中眼鏡として用いることができ、フェイスパッドが水の浸入を防ぐ。特に、本考案の水陸両用ゴーグル３は、これまで使用者が水上活動と陸上活動とで交換する際に、スイミングゴーグルと陸上で用いる眼鏡間の交換の際にもたらされる不便さと携帯と保管の困難さを解決するものである。
【００２０】
上述の実施例は本考案の実施態様を列挙して用いただけであり、本考案の技術的特徴の詳細な説明は、本考案の範疇を制限するものではない。熟練したいかなる技術者が容易に成し得る変更または均等に属する変更も本考案の主張する範囲に属しており、本考案の権利範囲は実用新案登録請求の範囲に準ずる。
【図面の簡単な説明】
【００２１】
【図１】周知のスイミングゴーグルの立体図
【図２】周知の陸上で用いる眼鏡の立体図
【図３Ａ】本考案の一実施例における水陸両用ゴーグルの立体図
【図３Ｂ】図３Ａの水陸両用ゴーグルの分解図
【図４Ａ】本考案の一実施例におけるテンプル部の固定具の立体図
【図４Ｂ】本考案の一実施例におけるテンプル部の立体図
【図４Ｃ】本考案の一実施例におけるテンプル部の立体図
【図４Ｄ】本考案の一実施例におけるテンプル部の立体図
【図４Ｅ】本考案の一実施例におけるテンプル部の立体図
【符号の説明】
【００２２】
１：スイミングゴーグル           １１：フレーム
１２：レンズ                     １３：フェイスパッド
１４：調整用バックル             １５：ヘッドバンド
２：眼鏡                         ２１：フレーム
２２：レンズ                     ２３：テンプル
３：水陸両用ゴーグル             ３１：レンズ部
３２：フレーム部                 ３２１：フレーム
３３：フェイスパッド             ３４：テンプル部
３５：テンプル                   ３６：固定具
３７：第１端部                   ３８：第２端部
３９：かぎ状体                   ４０：接合体
４１：環状体                     ４２：被覆管
４３：螺旋状突起                 ４４：ねじ孔
４５：フック                     ４６：環状バンド
４７：調整具
【図１】
0003143111.tif 000003
【図２】
0003143111.tif 000004
【図３Ａ】
0003143111.tif 000005
【図３Ｂ】
0003143111.tif 000006
【図４Ａ】
0003143111.tif 000007
【図４Ｂ】
0003143111.tif 000008
【図４Ｃ】
0003143111.tif 000009
【図４Ｄ】
0003143111.tif 000010
【図４Ｅ】
0003143111.tif 000011